(57)【要約】【課題】ディスポーザブル輸液ポンプに表示（監視）機能を付加し、事故や装置の異常に対処できるようにし、その信頼性を向上させる。【解決手段】圧電素子の物理的変化を利用して輸液の送液が可能で、かつ輸液の逆流防止機能を備えたディスポーザブル輸液ポンプ２に対し、制御回路６とともに表示パネル３を付加することにより、輸液量とその設定値，総輸液量とその設定値および気泡の有無を含む輸液状況情報を表示できるようにし、事故や装置の異常に容易に対処可能とし、信頼性を向上させる。【選択図】図１
2006136376.tif 000002
【特許請求の範囲】
【請求項１】
圧電素子により駆動され逆流を防止しつつ輸液が可能なディスポーザブル輸液ポンプと、この輸液ポンプを駆動，制御する制御手段と、この制御手段および前記輸液ポンプへ電源を供給するバッテリーと、輸液量設定値および総輸液量設定値に関する情報を入力する入力手段と、輸液量とその設定値，総輸液量とその設定値および気泡の有無を含む輸液状況に関する情報を表示する表示手段とを備えてなることを特徴とするディスポーザブル輸液装置システム。
【請求項２】
前記入力手段として操作パネルと送受信器とを設け、輸液量設定値と総輸液量設定値情報とを選択的に入力することを特徴とする請求項１に記載のディスポーザブル輸液装置システム。
【請求項３】
前記操作パネルは、輸液量設定値と総輸液量設定値情報とを前記送受信器に入力可能にしたことを特徴とする請求項１または２に記載のディスポーザブル輸液装置システム。
【請求項４】
前記送受信器は、輸液量とその設定値および総輸液量とその設定値、ならびに気泡の有無を含む輸液状況に関する情報を外部装置へ送信可能にしたことを特徴とする請求項２または３に記載のディスポーザブル輸液装置システム。
【請求項５】
前記表示手段により、前記バッテリーの電圧値を表示可能にしたことを特徴とする請求項１〜４のいずれかに記載のディスポーザブル輸液装置システム。
【請求項６】
前記送受信器にて、バッテリーの電圧値を外部へ送信可能にしたことを特徴とする請求項１〜５のいずれかに記載のディスポーザブル輸液装置システム。
【発明の詳細な説明】
【技術分野】
【０００１】
この発明は、医療分野において患者の体内へ薬液等を投入する場合に用いる輸液供給装置、特に定量を送液または輸液するための機構として、圧電素子を駆動源とする１回限りの使い捨て（ディスポーザブル）輸液ポンプを用いたディスポーザブル輸液装置システムに関する。
【背景技術】
【０００２】
図２，３は実用に供されているこの種の装置の一般的な例を示す概要図である。
図２に示すものは、輸液パック１１と患者とをチューブ１４でつなぎ、輸液パック１１を患者より高い位置に配置することにより、高低差を駆動力源とするものである。チューブ１４の途中には流量を調節するための絞り機構（ローラー機構またはクレンメとも云う）１３，流量を測るための点滴監視部（点滴塔）１２が設けられ、看護師などの医療従事者は点滴監視部における液滴の個数を一定時間数えることにより流量を測り、それが適切な値となるよう絞り機構１３の調整を行なう。
【０００３】
図３に示すものは、シリンジポンプ１５内に輸液を注入しておき、シリンジ１５の手動部を押し込む速度によって、輸液の送液速度が制御される。このとき、手動部の押し込みは、例えばモータの回転をネジ機構により直線運動に変換する方法にて行なうことができ、シリンダの内径，モータの回転速度などを適切に選ぶことにより、微量かつ正確な送液が実現できる。
また、図２，３に示すものに代わり、例えば特許文献１，２に開示されているように、ポンプとして圧電素子を駆動源として用いることにより小型化，軽量化を図るようにしたものもある。なお、特許文献１に示すものは、ディスポーザブル化が可能であることが記載されている。
【０００４】
【特許文献１】特開平０８−３０３３５２号公報（第２頁、図１，２）
【特許文献２】特開昭６２−２４７１８３号公報（第２頁、図１）
【発明の開示】
【発明が解決しようとする課題】
【０００５】
しかしながら、特許文献１，２のようなものでは、医学的に不適切な設定などによる事故や装置の異常などに対しては何らの対策も立てられておらず、信頼性の点で改良すべき余地が残されていると云える。
したがって、この発明の課題は、事故や装置の異常に対処し得るようにし、その信頼性を向上させることにある。
【課題を解決するための手段】
【０００６】
このような課題を解決するため、請求項１の発明では、圧電素子により駆動され逆流を防止しつつ輸液が可能なディスポーザブル輸液ポンプと、この輸液ポンプを駆動，制御する制御手段と、この制御手段および前記輸液ポンプへ電源を供給するバッテリーと、輸液量設定値および総輸液量設定値に関する情報を入力する入力手段と、輸液量とその設定値，総輸液量とその設定値および気泡の有無を含む輸液状況に関する情報を表示する表示手段とを備えてなることを特徴とする。
【０００７】
上記請求項１の発明においては、前記入力手段として操作パネルと送受信器とを設け、輸液量設定値と総輸液量設定値情報とを選択的に入力することができ（請求項２の発明）、請求項１または２の発明においては、前記操作パネルは、輸液量設定値と総輸液量設定値情報とを前記送受信器に入力可能にすることができる（請求項３の発明）。
請求項２または３の発明においては、前記送受信器は、輸液量とその設定値および総輸液量とその設定値、ならびに気泡の有無を含む輸液状況に関する情報を外部装置へ送信可能にすることができる（請求項４の発明）。
【０００８】
上記請求項１〜４のいずれかの発明においては、前記表示手段により、前記バッテリーの電圧値を表示可能にすることができ（請求項５の発明）、または、請求項１〜５のいずれかの発明においては、前記送受信器にて、バッテリーの電圧値を外部へ送信可能にすることができる（請求項６の発明）。
【発明の効果】
【０００９】
この発明によれば、ディスポーザブル輸液ポンプに制御装置および表示（監視）装置を付加することにより、事故や装置の異常に対処可能になるので、従来のものに比べて信頼性を格段に向上させることができる。
【発明を実施するための最良の形態】
【００１０】
図１はこの発明の実施の形態を示す構成図である。
同図において、１は輸液パック、２はポンプ装置、３は表示パネル、４は操作パネル、５は無線インターフェース、６は制御回路、７は電源としてのバッテリーである。なお、ポンプ装置２としては上記引用文献１，２と同じく、駆動源として圧電素子を用いるものとし、ディスポーザブル化が可能である。
【００１１】
制御回路６は図示のように、気泡監視部６１、流量計測部６２、総輸液量演算部６３、設定切替え部６４、比較部６５、ポンプ制御部６６、電源回路６７および電源の電圧監視部６８等から構成されている。なお、無線インターフェース５は送受信器，変復調器を備え、例えばナースセンタ等の中央監視室との間で情報の送受信が可能である。以下、流量は場合により輸液量とも云う。
【００１２】
Ｔは輸液パック１とポンプ装置２との間、およびポンプ装置２と患者との間をつなぐチューブであり、輸液パック１とポンプ装置２との間のチューブＴには、発光素子と受光素子からなる気泡センサＳ１と、流量（または輸液量）センサＳ２などが設けられ、さらにポンプ装置２と患者との間のチューブＴには、輸液の逆流防止弁Ｖが設けられる。逆流防止弁Ｖは輸液パック１とポンプ装置２との間に設けても良い。
【００１３】
気泡センサＳ１は輸液の流れを検出し、気泡監視部６１はその流れの状態から気泡が存在するか否かを監視する。その監視結果は、直接表示パネル３および無線インターフェース５に与えられる。流量センサＳ２は例えば一対の圧電素子からなり、流量計測部６２としては、一方の圧電素子から超音波を発射し、これを他方の圧電素子にて受信するまでの時間から、流量（または流速）を計測する超音波流量計を想定しているが、これに限らないのは勿論である。総輸液量演算部６３は流量計測部６２の出力（流量検出値または実流量）から総輸液量を演算し、これを流量検出値または実流量（輸液量）とともに表示パネル３および無線インターフェース５に与える。
【００１４】
ところで、輸液量および総輸液量は通常操作パネル４により設定するが、ここでは操作パネル４の誤操作等に備えて、センター等の外部から無線インターフェース５を介して行なうことも可能である。操作パネル４および無線インターフェース５からの設定値は、設定切替え部６４で選択され、選択された設定値が用いられることになる。選択された輸液量または総輸液量の設定値は比較部６５に与えられ、ここで輸液量と総輸液量を設定切替部６４を介して与えられるそれぞれの設定値と比較する。比較部６５での比較結果はポンプ制御部６６に与えられ、それが輸液量の場合はその比較結果に基づきポンプ２を駆動し、輸液量が設定値となるように制御を行なう。なお、ポンプ２の駆動は通常、電圧値または周波数により行なわれる。一方、比較の結果総輸液量がその設定値に達したら、ポンプ制御部６６をして輸液の供給を停止するものとする。
【００１５】
以上のように、気泡監視部６１からの気泡の有無、総流量演算部６３からの輸液量と総輸液量、電圧監視部６８からのバッテリー電圧および設定切替え部６４からの輸液量設定値と総輸液量設定値が表示パネル３およびに与えられるので、これらの情報を表示することにより輸液状況を検査または監視することが可能である。また、これらと同じ情報が無線インターフェース部５にも与えられるので、これらの情報はナースステーションなどのセンターへ送信され、そこで輸液状況の異常の判定，診断等が可能となる。なお、操作パネル４からの輸液量設定値および総輸液量設定値も無線インターフェース部５に与えられるので、操作パネル４から故意に設定値を変更した場合でも、センター側にて異常を検出して対処することができる。
【００１６】
電源回路６７はバッテリー７から直流電力を受けて、ポンプ制御部６６を含む制御回路６の各部へ電源を供給する。バッテリー７を用いたのは、輸液中でも容易に移動可能にするためである。電圧監視部６８は電源回路６７の電圧を監視し、その結果は直接表示パネル３で表示されるとともに、無線インターフェース５を介してセンターへ送信されることになる。なお、ポンプ２はポンプ制御部６６を介して制御されていることから、ポンプ２の電源も電源回路６７から供給されているといえる。
【図面の簡単な説明】
【００１７】
【図１】この発明の実施の形態を示す構成図
【図２】第１の実用例を示す概要図
【図３】第２の実用例を示す概要図
【符号の説明】
【００１８】
１…輸液パック、２…小型ポンプ、３…表示パネル、４…操作パネル、５…無線インターフェース、６…制御回路、７…バッテリー、６１…気泡監視部、６２…流量計測部、６３…総流量演算部、６４…設定切替え部、６５…比較部、６６…ポンプ制御部、６７…電源回路、６８…電圧監視部、Ｓ１…気泡センサ、Ｓ２…流（輸液）量センサ、Ｔ…チューブ。
【図１】
2006136376.tif 000003
【図２】
2006136376.tif 000004
【図３】
2006136376.tif 000005